(57)【要約】【要約書】  他人による入室及びアクセスを阻止するために、ドアを介してアクセスされる部屋その他の空間の内側からドアを保護するドア保護用ラッチを提供する。ドアへの力の印加によってもしくはドアとドアフレームとの隙間へのツールその他の装置を挿入することによって、容易に破壊もしくは傷つけることができず、緊急時には、アパートの占有者を救出することを企てる例えば、アパート管理者などの知識を持つ人によって解除することができる機械的に強固で安全なラッチを提供する。
2013527349.tif 000002
【特許請求の範囲】
【請求項１】
ラッチおよびラッチピン・トラックを備えた双安定磁気セキュリティ・ラッチであって、
前記ラッチは、
第１の磁石を備える自己調整磁気リターンを取り付けた第１のほぞアームを備えたフランジを有するドアフレーム取り付け台と、
第２、第３及び第４の磁石を含むドアフレーム取り付け台に取り付けられた関節ラッチアームと、を備える、前記双安定磁気セキュリティ・ラッチ。
【請求項２】
前記ドアフレーム取り付け台は、
ドアフレーム取り付け台をドアフレームにネジ止めするための窪んだ開口部を備えた概して平坦なシートと、
ドアフレームに取り付けられて、前記ドアフレーム取り付け台が外方向に押されるのを防止し、前記ラッチが前記ラッチピン・トラックと同一平面になるようドアフレーム取り付け台を配置する、自己調整磁気リターンが第１の旋回ピンを介して取り付けられる第１のほぞアームを有する、フランジと、
前記関節ラッチアームが回動自在に設けられる第２のほぞアームと、
を備える、請求項１に記載の双安定磁気セキュリティ・ラッチ。
【請求項３】
前記関節ラッチアームは、
前記第２及び第３の磁石を備える第１の関節ラッチアームセグメントと、
前記第４の磁石を備える第２の関節ラッチアームセグメントと、
リンクと、
第１の関節ラッチアームセグメントを前記ドアフレーム取り付け台に回動自在に取り付ける第２の旋回ピンであって、該第２の旋回ピンは、第１の関節ラッチアームセグメントの第１の端部における上方のほぞ接ぎアームおよび下方のほぞ接ぎアームを通り、さらにドアフレーム取り付け台から延びる前記第２のほぞアームを通り、
前記第１の関節ラッチアームセグメントを前記リンクに回動自在に取り付ける第３の旋回ピンであって、該第３の旋回ピンは、前記関節ラッチアームセグメントの第２の端部において前記上方および下方のほぞ接ぎアームを通り、
前記第２の関節ラッチアームセグメントを前記リンクに回動自在に取り付ける第４の旋回ピンであって、該第４の旋回ピンは、前記第２の関節ラッチアームセグメントの第１の端部において前記上方および下方のほぞ接ぎアームを通り、
前記第２の関節ラッチアームセグメントの第２の端部に取り付けられたラッチピンと、
を備えている請求項２に記載の双安定磁気セキュリティ・ラッチ。
【請求項４】
前記ラッチピン・トラックは、
前記ラッチピン・トラックを横切って延びる矩形の溝を備え、該溝は、前記ラッチピンが該溝に沿った容易な逆行を防止する１つまたは複数のバッフルを備え、
前記双安定磁気セキュリティ・ラッチが使用状態の間、前記ラッチピンが挿入されるラッチピン開口部と、
を備える請求項３に記載の双安定磁気セキュリティ・ラッチ。
【請求項５】
前記ラッチピン・トラックは、該ラッチピン・トラック内もしくは前記ラッチピン・トラックの下に埋設される第５の磁石を更に備える、請求項４に記載の双安定磁気セキュリティ・ラッチ。
【請求項６】
不使用位置において、前記第１および第２の関節ラッチアームセグメントが、前記第１および第２の磁石の間の吸着と前記第３および第４の磁石の間の反発により前記ドアフレームに対して平坦に保持される、請求項５に記載の双安定磁気セキュリティ・ラッチ。
【請求項７】
使用位置において、前記第１の関節ラッチアームセグメントは前記第２の関節ラッチアームセグメントの頂部において折り曲げられ、双方の関節セグメントが前記第１および第２の磁石の間の吸着により前記ドアフレームに保持される、請求項５に記載の双安定磁気セキュリティ・ラッチ。
【請求項８】
前記双安定磁気セキュリティ・ラッチは、前記セキュリティ・ラッチアームがユーザによって保持されていないなど操作されていない時、延びた不使用位置と折り曲げられラッチされた位置との２つだけの安定した位置のうちの１つをとることができる、請求項１に記載の双安定磁気セキュリティ・ラッチ。
【請求項９】
第１の磁石を有する自己調整磁気リターンが取り付けられる第１のほぞアームを備えるフランジを有するドアフレーム取り付け台、ならびに第２および第３の磁石を有するフレーム取り付け台に取り付けられた関節ラッチアーム、を備えるラッチと、
ラッチピン・トラックと、
を備える、双安定磁気セキュリティ・ラッチ。
【請求項１０】
前記ドアフレーム取り付け台は、
前記ドアフレーム取り付け台をドアフレームにネジ止めする窪んだ開口部を有する概して平坦なシートと、
ドアフレームに取り付けられ、前記ドアフレーム取り付け台が押し出されるのを防止し、前記ラッチが前記ラッチピン・トラックと同平面になるよう前記ドアフレーム取り付け台を配置するフランジであって、該フランジは、自己調整磁気リターンが第１の旋回ピンを介して取り付けられる第１のほぞアームを備え、
前記関節ラッチアームが回動自在に取り付けられる第２のほぞアームと、
を備える、請求項９に記載の双安定磁気セキュリティ・ラッチ。
【請求項１１】
前記関節ラッチアームは、
前記第２の磁石を有する第１の関節ラッチアームセグメントと、
前記第３の磁石を有する第２の関節ラッチアームセグメントと、
リンクと、
前記第１の関節ラッチアームセグメントを前記ドアフレーム取り付け台に回動自在に取り付ける第２の旋回ピンであって、該第２の旋回ピンは、前記第１の関節ラッチアームセグメントの第１の端部における上方のほぞ接ぎアームおよび下方のほぞ接ぎアーム、ならびに前記ドアフレーム取り付け台から延びる前記第２のほぞアームを通り、
第１の関節ラッチアームセグメントをリンクに回動自在に取り付ける第３の旋回ピンであって、該第３の旋回ピンは、前記関節ラッチアームセグメントの第２の端部において前記上方および下方のほぞ接ぎアームを通り、
第２の関節ラッチアームセグメントをリンクに回動自在に取り付ける第４の旋回ピンであって、該第４の旋回ピンは、前記第２の関節ラッチアームセグメントの第１の端部における前記上方および下方のほぞ接ぎアームを通り、
前記第２の関節ラッチアームセグメントの第２の端部に取り付けられたラッチピンと、
を備える、請求項１０に記載の双安定磁気セキュリティ・ラッチ。
【請求項１２】
前記ラッチピン・トラックは、
前記ラッチピン・トラックを横切って延びる矩形の溝であって、該溝は、前記ラッチピンの容易な逆行を防止する１つまたは複数のバッフルを備え、
前記双安定磁気セキュリティ・ラッチが使用される間、前記ラッチピンが挿入されるラッチピン開口部と、
を備える、請求項１１に記載の双安定磁気セキュリティ・ラッチ。
【請求項１３】
ラッチピン・トラックは、当概ラッチピン・トラック内もしくはラッチピン・トラックの後ろに埋設される第４の磁石を更に含むことを特徴とする特許請求の範囲第１２項記載の双安定磁気セキュリティ・ラッチ。
【請求項１４】
不使用位置において、前記第１の関節ラッチアームセグメントおよび前記第２の関節ラッチアームセグメントが、前記第１および第２の磁石の間の吸着ならびに前記第２および第４の磁石の間の反発により、前記ドアフレームに平坦に保持される、請求項１２に記載の双安定磁気セキュリティ・ラッチ。
【請求項１５】
使用位置において、前記第１の関節ラッチアームセグメントは前記第２の関節ラッチアームセグメントの頂部で折り曲げられ、双方の関節セグメントが前記第１および第２の磁石の吸着により前記ドアフレームに平坦に保持される、請求項１２に記載の双安定磁気セキュリティ・ラッチ。
【請求項１６】
前記双安定磁気セキュリティ・ラッチは、前記セキュリティ・ラッチアームがユーザによって保持されていないなど操作されていない時、延びた不使用位置と折り曲げられラッチされた位置との２つだけの安定した位置のうちの１つをとることができる、請求項９に記載の双安定磁気セキュリティ・ラッチ。
【発明の詳細な説明】
【技術分野】
【０００１】
本発明は、セキュリテイに関し、そして特に占有者がドアを保護することを可能にし、ドアもしくはドアフレームの傷を生ずることなく容易に設置され、ドアに力を加えたりもしくはドアとドアフレームとの間にツールを挿入することによって容易に傷つけられないドアラッチに関する。
【関連出願の参照】
【０００２】
本出願は、２００９年５月１５日に出願された特許出願第１２／４５４、３８３号の一部継続出願である、２０１０年２月４日に出願された特許出願第１２／７００、３８９号の一部継続出願である、２０１０年５月１２日に出願された特許出願１２／７７８，９１０号の一部継続出願である。
【発明の背景技術】
【０００３】
ドアロック及びラッチが、数千年に亘って使われてきた。非常に多くの異なったタイプのラッチ及びロックが人類の歴史に亘って工夫され、製造され、設置され更に使用されてきた。いかなる技術でも同じだが、ドアロック及びラッチの設計及び製造が長い年月発展して多くの新たな特徴及びアイデアが進化してきた。いかなる技術でも同じだが、ある種の状況においてよく作動するロック及びラッチは、代替的な他の状況の下では有用もしくは実際的でないことがあり、特に特定の応用及び状況において、ロック及びラッチを改善する必要性が常に存在している。
【発明の概要】
【０００４】
本発明の各実施形態は、他人による入室またはアクセスを阻止するために、部屋すなわちドアを介してアクセスされる空間の占有者が、部屋その他の空間の内側からドアを保護することができるドア保護用ラッチを含んでいる。本発明の各実施形態は、いくつかの適用上の制限を満足するよう設計されており、これには、ドアへの力の印加によって、あるいはドアとドアフレームとの間にツールもしくは装置を挿入することによって、容易に破壊されたり役に立たなくなることがないが、緊急事態において傷害を受けたアパート住民を救助しようとするアパートの管理人のように知識をもつ人間が、ドアまたはドアフレームを損傷することのない直接的な方法で解除させることができる、機械的に強固で安全なラッチを提供することが含まれる。本発明の実施例は、ドアもしくはドアフレームを損傷せずに設置でき、ドアおよび／もしくはドアフレームをドア保護ラッチを取り除いて最初の状態に容易に復帰させることができ、ユーザが直感的に使うことができる。
【図面の簡単な説明】
【０００５】
【図１Ａ】図１Ａは、ドアを示している。
【図１Ｂ】図１Ｂは、ドアを示している。
【図２Ａ】図２Ａは、一般的なドアセキュリティ装置例示している。
【図２Ｂ】図２Ｂは、一般的なドアセキュリティ装置例示している。
【図２Ｃ】図２Ｃは、一般的なドアセキュリティ装置例示している。
【図３Ａ】図３Ａはネジ軸に平行な方向のネジの強度を例示している。
【図３Ｂ】図３Ｂはネジ軸に平行な方向のネジの強度を例示している。
【図４Ａ】図４Ａはネジ軸に直交する方向のネジの強度を例示している。
【図４Ｂ】図４Ｂはネジ軸に直交する方向のネジの強度を例示している。
【図５Ａ】図５Ａは、本発明の第１の組の実施形態を示すセキュリティ・ラッチの実施形態を例示している。
【図５Ｂ】図５Ｂは、本発明の第１の組の実施形態を示すセキュリティ・ラッチの実施形態を例示している。
【図５Ｃ】図５Ｃは、本発明の第１の組の実施形態を示すセキュリティ・ラッチの実施形態を例示している。
【図５Ｄ】図５Ｄは、本発明の第１の組の実施形態を示すセキュリティ・ラッチの実施形態を例示している。
【図５Ｅ】図５Ｅは、本発明の第１の組の実施形態を示すセキュリティ・ラッチの実施形態を例示している。
【図６Ａ】図６Ａは、図５Ａ乃至図５Ｅに示す本発明のセキュリティ・ラッチの実施形態の使用例を示している。
【図６Ｂ】図６Ｂは、図５Ａ乃至図５Ｅに示す本発明のセキュリティ・ラッチの実施形態の使用例を示している。
【図６Ｃ】図６Ｃは、図５Ａ乃至図５Ｅに示す本発明のセキュリティ・ラッチの実施形態の使用例を示している。
【図６Ｄ】図６Ｄは、図５Ａ乃至図５Ｅに示す本発明のセキュリティ・ラッチの実施形態の使用例を示している。
【図６Ｅ】図６Ｅは、図５Ａ乃至図５Ｅに示す本発明のセキュリティ・ラッチの実施形態の使用例を示している。
【図７Ａ】図７Ａは、本発明の第１の実施形態を示すセキュリティ・ラッチによって保護されるドアの部分開口状態を例示している。
【図７Ｂ】図７Ｂは、本発明の第１の実施形態を示すセキュリティ・ラッチによって保護されるドアの部分開口状態を例示している。
【図７Ｃ】図７Ｃは、本発明の第１の実施形態を示すセキュリティ・ラッチによって保護されるドアの部分開口状態を例示している。
【図８】図８は、本発明のひとつの実施形態に係るルーテイングのためのドアフレームに印をつけるために使用されるテンプレートを例示している。
【図９】図９は、本発明のひとつの実施形態を示す第１のタイプの一方向性ネジを例示している。
【図１０Ａ】図１０Ａは、本発明のひとつの実施形態を示す第２のタイプの一方向性ネジを例示している。
【図１０Ｂ】図１０Ｂは、本発明のひとつの実施形態を示す第２のタイプの一方向性ネジを例示している。
【図１１】図１１は、本発明の第１の実施形態を示すセキュリティ・ラッチのための設置用キットを例示している。
【図１２Ａ】図１２Ａは、本発明の第２の組みの実施形態を示すセキュリティ・ラッチのいくつかの実施例を示している。
【図１２Ｂ】図１２Ｂは、本発明の第２の組みの実施形態を示すセキュリティ・ラッチのいくつかの実施例を示している。
【図１２Ｃ】図１２Ｃは、本発明の第２の組みの実施形態を示すセキュリティ・ラッチのいくつかの実施例を示している。
【図１２Ｄ】図１２Ｄは、本発明の第２の組みの実施形態を示すセキュリティ・ラッチのいくつかの実施例を示している。
【図１３Ａ】図１３Ａは、図１２Ａ乃至図１２Ｄに示される本発明のセキュリティ・ラッチの実施例を示している。
【図１３Ｂ】図１３Ｂは、図１２Ａ乃至図１２Ｄに示される本発明のセキュリティ・ラッチの実施例を示している。
【図１３Ｃ】図１３Ｃは、図１２Ａ乃至図１２Ｄに示される本発明のセキュリティ・ラッチの実施例を示している。
【図１４Ａ】図１４Ａは、図１２Ａ乃至図１２Ｄに示される本発明のセキュリティ・ラッチの使用例を示している。
【図１４Ｂ】図１４Ｂは、図１２Ａ乃至図１２Ｄに示される本発明のセキュリティ・ラッチの使用例を示している。
【図１４Ｃ】図１４は、図１２Ａ乃至図１２Ｄに示される本発明のセキュリティ・ラッチの使用例を示している。
【図１５Ａ】図１５Ａは、本発明の第３のセキュリティ・ラッチの実施形態を例示している。
【図１５Ｂ】図１５Ｂは、本発明の第３のセキュリティ・ラッチの実施形態を例示している。
【図１５Ｃ】図１５Ｃは、本発明の第３のセキュリティ・ラッチの実施形態を例示している。
【図１６Ａ】図１６Ａは、図１５Ａ乃至図１５Ｃに示される本発明のセキュリティ・ラッチの実施形態の使用例を示している。
【図１６Ｂ】図１６Ｂは、図１５Ａ乃至図１５Ｃに示される本発明のセキュリティ・ラッチの実施形態の使用例を示している。
【図１６Ｃ】図１６Ｃは、図１５Ａ乃至図１５Ｃに示される本発明のセキュリティ・ラッチの実施形態の使用例を示している。
【図１７Ａ】図１７Ａは、ドアの外部からの図１５Ａ乃至図１５Ｃに示される本発明のセキュリティ・ラッチの解除の形態を示している。
【図１７Ｂ】図１７Ｂは、ドアの外部からの図１５Ａ乃至図１５Ｃに示される本発明のセキュリティ・ラッチの解除の形態を示している。
【図１７Ｃ】図１７Ｃは、ドアの外部からの図１５Ａ乃至図１５Ｃに示される本発明のセキュリティ・ラッチの解除の形態を示している。
【図１７Ｄ】図１７Ｄは、ドアの外部からの図１５Ａ乃至図１５Ｃに示される本発明のセキュリティ・ラッチの解除の形態を示している。
【図１８Ａ】図１８Ａは、図５Ａ乃至図５Ｅ及び図６Ａ乃至図６Ｅに示される本発明の第１の組の実施例に基づく本発明の付加的なマグネットにより強化された実施例を示している。
【図１８Ｂ】図１８Ｂは、図５Ａ乃至図５Ｅ及び図６Ａ乃至図６Ｅに示される本発明の第１の組の実施例に基づく本発明の付加的なマグネットにより強化された実施例を示している。
【図１８Ｃ】図１８Ｃは、図５Ａ乃至図５Ｅ及び図６Ａ乃至図６Ｅに示される本発明の第１の組の実施例に基づく本発明の付加的なマグネットにより強化された実施例を示している。
【図１８Ｄ】図１８Ｄは、図５Ａ乃至図５Ｅ及び図６Ａ乃至図６Ｅに示される本発明の第１の組の実施例に基づく本発明の付加的なマグネットにより強化された実施例を示している。
【図１９Ａ】図１９Ａは、本発明の付加的な実施例を例示している。
【図１９Ｂ】図１９Ｂは、本発明の付加的な実施例を例示している。
【図１９Ｃ】図１９Ｃは、本発明の付加的な実施例を例示している。
【図１９Ｄ】図１９Ｄは、本発明の付加的な実施例を例示している。
【図２０】図２０は、本発明の双安定磁気セキュリティ・ラッチの実施例を例示す。
【図２１】図２１は、本発明の双安定磁気セキュリティ・ラッチの実施例を例示す。
【図２２】図２２は、本発明の双安定磁気セキュリティ・ラッチの実施例を例示す。
【発明を実施するための形態】
【０００６】
本発明の実施形態は、ドアを介してアクセスされる部屋その他の空間の占有者が、他人による入室またはアクセスを防止するため、部屋その他の空間の内側からドアを保護することを可能にするドア保護用ラッチを含んでいる。本発明の実施形態は、ドアへの力の印加によって、あるいはドアとドアフレームとの間にツールもしくは装置を挿入することによって、容易に破壊されたり役に立たなくなることがないが、緊急事態において傷害を受けたアパート住民を救助しようとするアパートの管理人のように知識をもつ人間が、ドアまたはドアフレームを損傷することのない直接的な方法で解除させることができる、機械的に強固で安全なラッチを提供する。本発明の実施例は、ドアもしくはドアフレームを損傷せずに設置でき、ドアおよび／もしくはドアフレームをドア保護ラッチを取り除いて最初の状態に容易に復帰させることができ、ユーザが直感的に使うことができる。本発明の複数の実施形態は、本発明のドア保護ラッチによって保護されたドアを部分的に開放させて、部屋その他の空間の住居人がこのドアの外部側の人と会話をし、このドアが確実にラッチされたままで封筒あるいはノートを受け取るなど外部空間と通信することを可能にする。
【０００７】
図１Ａ及び図１Ｂは、ドアを示している。このドア１０２はドアフレーム内に設けられ、そしてこのドアに設けられたドアノブ１０４を回転することによって引っ込む図１Ａに図示されていないラッチによって閉鎖位置に保持されている。このドアが閉鎖される時に、ラッチは、このドアが設けられているドアフレーム１０８に設けられた当て板（strike plate）１０６を通ってこのドア内の内部キャビティからドアフレーム内のキャビティに延びる。このラッチ（図１Ｂにおける１１０）は、ドアノブを回転することによってドアに設置された補完的当て板１１２を介してこのドア内に引っ込み、ドアを図１Ｂに示すように開放できる。
【０００８】
このドアノブは、プッシュボタン  ロック１１４及びこのドアの外部側の対応するキースロット（図１Ａおよび図１Ｂに図示されない）を備え、プッシュボタンを押すことによって内側から、もしくはキーを挿入し回転することによって外側から、ドアをロックすることができる。ドアノブロック心棒は、ある程度のセキュリテイを提供するけれども、ドアを介してアクセスが可能であるアパ−ト、ホテルの部屋その他の空間の占有者に信頼されないことが多い。キーはしばしば盗まれたり偽造されたりし、犯罪者は複数の一般的に入手可能なロックピッキングツールおよびインターネット上で広く普及したロックピッキング指導書を用いて高価なロックですらしばしば容易にピッキングすることができる。また図１Ｂに示すようにノートを受け取ったり訪問者と会話するために、占有者がドアを僅かに開くと、訪問者が部分的に開放されたドアを通して力ずくで入室するのを阻止することはできない。
【０００９】
図２Ａ乃至図２Ｃは一般的なドア・セキュリテイ装置を例示する。「ドアラッチ・チェーン」と呼ばれる図２Ａ乃至図２Ｃに示した装置は、商業的に入手可能であり一般的に使用される多くの異なったタイプのセキュリティ・ラッチの一例である。このドアラッチ・チェーンはしばしば出くわすことがあり、多くのこれらのセキュリティ・ラッチの種々の欠点の例を提示する。このドアラッチ・チェーンは、取り付け保護具２０２と、チェーン２０４と、スライダー２０６及びスライダートラック取り付け台２０８を備えている。このチェーン２０４は取り付け保護具２０２に永久的に取り付けられ、更にスライダー２０６に永久的に取り付けられている。この取り付け保護具２０２は４個のネジ２１０−２１３によってドア２０９に固定されており、スライダートラック取り付け台２０８は４個のネジ２１５−２１８によってドアフレーム２１４に固定されている。図２Ａにおいて、このドアラッチ・チェーンは装着されておらず、ドアはドアノブ２２０を用いることによって開放及び閉鎖可能である。ラッチはスライダーをスライダートラック２２２の広い部分の中に装着しこのスライダーをドアに向けてスライドさせることによって図２Ｂに示されるように装着される。このトラック２２４の狭い部分において、スライダーの基部２２６がトラック内において確実に保持されている。図２Ｃに示されるように、このドアは、ドアラッチ・チェーンによってラッチされたまま部分的に開くことができる。
【００１０】
ドアラッチ・チェーンは多くの欠点を有している。第１に、チェーンは薄いリンクを用いてしばしば比較的に小型であり、ドアに充分な力を加えることによって破壊することができる。第２に、ネジは、ドアに加わる力がネジ軸に平行な方向にかかるように設けられており、十分な力をドアに加えることによって、木製のドアフレームおよびドアから引きはがすことができる。第３に、もしドアラッチ・チェーンがより確実に設置されており非常に重いゲージチェーンが使われたとすると、占有者がドアラッチ・チェーンを解放することができない緊急な状況において、アパートもしくはホテルの管理者が人のいるアパートもしくはホテルの部屋へ入る必要があるとき、ドアラッチ・チェーンをはずすことが困難となるかもしれない。第４に、ドアラッチ・チェーンの設置はドアフレーム及びドアの内面にドリルによって８個のネジ孔をあける必要があり、ドアフレームもしくはドア上の成型体が湾曲していたり、波型模様に切られていたり非平坦であるとき、スライダートラック取り付け台２０８もしくは取り付け保護部２０２の確実な装着を提供するため、この成型体を切削しまたは回避する必要がある。この８個のネジ孔および付加的な切削加工はドアおよびドアフレームの内面を著しく傷つける可能性があり、アパ−トの管理人もしくは地主にとって受け入れられない可能性がある。        
最近使用されるセキュリティ・ラッチの異なったタイプの多くは、ドアラッチ・チェーンの欠点のいくつかもしくはすべてをもち、さらに付加的な欠点ももつ可能性がある。例えば、トラックおよびボール機構を備えた剛性のあるラッチは、ホテル内においてしばしば見出される。これらの剛性のある装置は非直感的であり、暗闇の中で即ち緊急時に、パニック状態の部屋の占有者がはずすことが困難となる。上に記載したドアラッチ・チェーンと同様に、これらの装置の取り付けはドア及びドアフレームの顕著な傷を引き起こす可能性がある。
【００１１】
図３Ａ及び図３Ｂは、ネジ軸に平行な方向のネジの強度を示す。図３Ａにおいて、木製ネジ３０２はラッチ機構３０６をドアもしくはドアフレームに固定するために、木製ドアもしくはドアフレーム３０４内に設けられた状態で示されている。このネジ軸３０８は、木材の中へドリルにより開けられた円柱状の孔を占め、更に複数のネジ山３１０は取り囲む木材に切り込み、ネジを木材に固定する。図３Ｂに示されるように、ネジ山がネジ軸から突出する距離に等しい厚さの複数の壁を備えた木製の薄い中空の円筒状筒３１２のみが木材中においてネジを保持する。特に木製の薄い中空の円柱状筒の壁は、ネジの取り付けの際に複数のネジ山によって螺旋状に切り込まれるので、ネジ軸３１４に平行な方向にラッチ機構を経由してネジに加わる力は、木製のバルクから木の厚さが薄い中空円柱状筒３１２を容易にせん断する。本質的に、ネジは木製の厚さの薄い中空の円柱状筒の表面積に等しい木材の面積のせん断抵抗によって保持される。
【００１２】
図４Ａ及び図４Ｂは、ネジ軸に直交する方向のネジの強度を例示している。図４Ａ及び図４Ｂに示すように、横方向の力がドアもしくはドアフレーム４０２の平面に平行に且つネジ軸に直交する方向にラッチ機構を経由してネジに加わる際に、２つの故障モードが存在しうる。ネジ軸は、ネジ軸４０４に直交する方向にせん断応力を受けるか、もしくはネジはネジ軸に直交する軸４０６の周りに回動して、図４Ｂに示される木材のディスク状の体積の２つの部分４１０及び４１２を裂くこともできる。明らかに、これらの故障モードのいずれにおいても、ネジを故障させるためには大きな横方向の力が加えられる必要がある。木製のネジのせん断抵抗は、木材の比較的小さな表面のせん断抵抗よりも一般的にはるかに大きい。木製の体積内から比較的に大きな体積の木材を裂くことは、一般的に木製の比較的小さい表面をせん断するのに必要なよりもはるかにより大きな力を必要とする。かくして、ドアに印加される力が図３Ａ及び図３Ｂに示されるようにネジ軸に平行な力よりもむしろ図４Ａ及び図４Ｂに示されるようにラッチの複数の取り付けネジの横方向に力が加わるようラッチング機構が取り付けられる場合には、ラッチ機構は、このラッチ機構を取り付けたドアへの力の印加によって役に立たなくなったり破壊されることに対し、はるかに大きな抵抗となるであろう。
【００１３】
図５Ａ乃至図５Ｅは、本発明の第１の組の実施形態を示すセキュリティ・ラッチのいくつかの実施形態を例示する。図５Ａ乃至図５Ｅに示される本発明の第１の組のセキュリティ・ラッチの実施形態は、ドアフレーム取り付け台５０２と、関節のあるラッチアーム５０４と、ラッチピン・トラック（ラッチピン溝）５０６と含むラッチを備えている。このラッチピン・トラックは、異なった角度で図５Ｂ乃至図５Ｄに示されている。（１）図５Ｂは正面から見た図、図５Ｃはある角度から見た斜視図、図５Ｄは端部を示す図である。
【００１４】
ドアフレーム取り付け台(mount, マウント)５０２は、概して平坦なシートからなり、４個の開口部５１０−５１３を通してネジ５１６−５１９がドアフレーム取り付け台５０２をドアフレームに取り付ける。これらの開口部は、わずかに窪み、図５Ａに示す本発明の実施形態におけるドアフレーム内に延びる。２個の開口部５１０及び５１１は、丸い端部を備えた楕円状もしくは溝のようなものである。これらの開口部を介して取り付けられるネジ５１８及び５１９は、スクリュードライバーを用いて設置できるが取り外し不可能な概して一方的なネジである。円形の開口部５１２と５１３を介して取り付けられる２個のネジ５１６と５１７はスクリュードライバーを用いて設置および除去できるネジである。フランジ５２２は、ドアフレームの縁部５２４にあって、ドアフレーム取り付け台をドアフレームに確実に取り付けるのを助け、（図６Ａに明瞭に示されているように）ドアに取り付けられたラッチピン・トラックとラッチのレベルが一致するようにドアフレーム取り付け台の位置決めを行い、ドアフレーム取り付け台が外に押し出されるのを防止する。詰めもの(shim)すなわちスペーサーを、ドアフレームのフランジと縁部との間に入れて、ドアの平面に直交する方向のドアの平面に対してラッチの位置を調整してもよい。関節のあるラッチアーム５０４は、ドアフレーム取り付け台５０２に第１の関節ラッチアームセグメント５２８を回動自在に取り付ける第１の旋回ピン５２６を含み、この第１の旋回ピンは、第１の関節ラッチアームセグメントの第１の端部における上方のほぞ接ぎ(mortise、ほぞ穴)アーム５３０および下方のほぞ接ぎアーム５３２と、更にドアフレーム取り付け台５０２から延びるほぞ(tenon)アーム５３４を通る。この第１の関節ラッチアームセグメント５２８は、リンク５３８に第２の旋回ピン５３６によって回動自在に取り付けられ、この第２の旋回ピンは第１の関節のラッチアームセグメントの第２の端部の上方のほぞ接ぎアーム５４０および下方のほぞ接ぎアーム５４２を通る。第２の関節ラッチアームセグメント５４４はリンク５３８に第３の旋回ピン５４６によって回動自在に設けられており、この第３の旋回ピンは第２の関節ラッチアームセグメントの第１の端部の上方のほぞ接ぎアーム５４８および下方のほぞ接ぎアーム５５０を通る。ラッチピン５５２は第２の関節ラッチアームセグメント５４４の第２の端部に取り付けられている。
【００１５】
ラッチピン・トラック５０７はラッチピン・トラックにわたって延びる矩形状の溝の表面とレベルが一致するヘッド付きの２個のネジ５５４及び５５６によってドアに取り付けられている。この溝は、それに沿っているラッチピンの容易な逆行(back-tracking)を妨げる１個または複数のバッフル５６０（図６Ｂにより明瞭に示されている）を含む。ラッチを使用する際、ラッチピン５５２はラッチピン開口部５６２を介して溝にスライド可能にはめられる。この溝の内部の垂直寸法はラッチピン・トラックの表面の溝開口部よりも大きい。ラッチピン開口部５６２から溝に沿って開口部から離れるようにラッチピンを一旦スライドさせると、このラッチに取り付けるラッチピン心棒（stem:ステム）５７０の垂直方向上下にあるラッチピン上部５６６及び下部５６８は溝内に確実に取り付けられ、溝から引き出すことはできない。言い換えるならば、ラッチピンはラッチピン開口部５６２に位置合わせされたときだけ、溝内に挿入されることができ溝からはずすことができる。
【００１６】
図５Ｅはセキュリティ・ラッチの代替実施形態を示している。この代替実施形態においては、ドアフレーム取り付け台５７２は３個の円形の窪んだ開口部５７４−５７６を備えており、この開口部を通して３つのネジ５７８−５８０がドアフレームにドアフレーム取り付け台５７２を取り付ける。
【００１７】
図６Ａ乃至図６Ｅは、図５Ａ乃至図５Ｅに示される本発明のセキュリティ・ラッチの実施形態を示している。図６Ａに示す開放位置において、ラッチ６０２はドアフレームを横切って延びる。ラッチピン６０４は、ラッチピンを操作して関節ラッチアームセグメントが旋回ピンの周りで旋回し互い、リンク及びドアフレーム取り付け台に関しその位置を変化することにより、水平面内で移動することができる。図６Ｂにおいてラッチはラッチピン・トラック６０６に向けて移動され、そして図６Ｃにおいて、このラッチピンはラッチピン・トラックに更に向けてさらに移動される。
【００１８】
バッフル６０８は、図６Ａ乃至図６Ｃに詳しく示されている。このバッフルは、溝６１２の下部に偏向器（deflector）６１０を備え、ラッチピンがバッフルよりもドアの縁部に近接した位置から溝に沿って偏向器を通過してスライドする際、ラッチピンを溝の表面の凹部６１４内に移動させる。補完的な偏向器を、溝の上方部に設けてもよい。バッフルは、ドアを振動させたり揺すったりして閉鎖位置からラッチピン開口部にラッチピンをスライドさせることができないようにする。ラッチピンは、凹部６１４に偏位され、凹部６１４は、ラッチピンを受け入れる真っ直ぐな後縁部を有する。ラッチピンは、手で容易にトラックに戻され、ラッチピン開口部にスライドさせられ取り外すことができる。溝の下部及び上部は、ラッチピンの端部がスライド可能に保護されるトラックを形成する。これらのトラックは、偏向器が内方に凹部６１４へと向ける箇所を除いて線形である。付加的なバッフルが、本発明の代替実施形態において含まれてもよい。
【００１９】
図６Ｄにおいて、ラッチはラッチピンをラッチピン開口部に挿入するよう曲げられている。最終的に図６Ｅにおいて、ラッチピンは溝及びトラックに沿って閉鎖位置にスライドされ、ラッチピンがドアの縁部と同レベルのラッチピン・トラックの端部の近くの溝の端部に位置する。ラッチピンの端部がスライドする上方トラックおよび下方トラックが、ラッチピン・トラックの端部に到達する前に終端するので、ラッチピンがラッチピン・トラックの端部においてラッチピン・トラックから滑り出ることはないことに注目すべきである。
【００２０】
図７Ａ乃至７Ｃは、本発明の第１の実施形態のセキュリティ・ラッチによって保護されたドアが部分的に破られた状態を示している。図７Ａにおいて、旋回ピンラッチアームセグメントが旋回されラッチが内方に延びた状態でドアがわずかに開き、ラッチピンがラッチピン・トラック内に確保されたまま維持されている。図７Ｃに示すようなある種の実施形態において、ラッチピンが溝に沿ったある範囲の位置を占めるとき、ラッチ、ラッチピンおよびラッチピン・トラックの幾何学形状が、ドアが破られるのを阻止する。いくつかの実施例の特徴は、スロット状の開口部（図５Ａにおける５１０及び５１１）が設けられており、浅いスロット状の空洞が４個の開口部５１０−５１３の下の木製のフレームから削り取られている（milled out）ことである。ドアが図７Ｃに示すように破ることができない時、アパートまたはホテルの部屋の障害を受けた占有者を救出するためにアパートまたはホテルの管理人がセキュリティ・ラッチをはずすことが困難である。しかし、図７Ｃに示す位置まで前方にドアを押すと、ドアフレーム取り付け台（図５Ａにおける５０２）のネジの頭が露出する。救出者はスクリュードライバーもしくはネジビットを備えたパワーツールを用いて２つの通常の頭のネジ５１６−５１７をはずすことができる。救出者は次いで、ドアに肩を押し付けるなどしてドアに力を加えドアフレーム取り付け台を内側に押しやり、このとき、開口部の複数の窪みをドアフレーム内の切削加工されたスロット状の空洞内で自由に移動し、ドアフレーム取り付け台が２つ一方向ネジ５１８−５１９の下でスライドする。言い換えるならば、一方向のネジがスロット状の開口部の内方端部に最初に取り付けられ、ドアフレーム取り付け台が正しく設置されている時、ドアフレーム取り付け台は、スロット状の開口部５１０および５１１の長さに等しい距離だけ内方にスライドさせることができる。ドアフレーム取り付け台が前方に一旦スライドされると、ドアは十分開かれて、救出者が開口部を通してのこぎりブレードを挿入し往復運動させてラッチを切り、室内へ入ることを可能にする。なおセキュリティ・ラッチはドアのどちらの側へも取り付け可能であり、言い換えるならばリバーシブル(reversible)であることに注目すべきである。また全ての切削加工及びドリルによる穿孔はドアフレームの内面が傷つけられないように内面の上ではなくドアフレームの縁部で生ずることに注目すべきである。複数のネジ穴は、可撓性の木材もしくはその他のフィラーを用いて容易に充填することができる。２つのネジ穴がドア内にドリルにより設けられるけれども、それらはセキュリティ・ラッチを取り除いた後、充填することもできる。一般に１つまたは２つのネジ穴は現在入手可能なラッチの４つの距離が狭まったネジ孔よりも損傷が少なく、そして一般にドアを著しく傷つけることにはならない。
【００２１】
図８は本発明の一実施形態に係るドアフレームにルーテイング(routing)用の印をつけるために使用されるテンプレートを示している。このテンプレートはフランジ８０４がドアフレームの縁部にくるよう木製のフレームに配置される。次いで、開口部のアウトラインをテンプレートの開口部８０４−８０７を通して木製のフレームにマークすることができる。このテンプレートは次いで除去され、そしてルーターその他のツールを用いて、ドアフレーム取り付け台の裏面のくぼみまたは環状のフランジの高さに等しい深さのスロット状の空洞を切削加工する。ネジのためのパイロット孔は空洞を切削加工する前または後に、ドリルにより穿孔される。
【００２２】
図９は本発明の一実施形態の一方向性ネジの第１のタイプを示している。現在入手可能な一方向性ネジは、概して、ネジが固定するドアフレーム取り付け台のような平坦な物体の表面から突出する丸い頭を有する。しかし、ドアがドアフレーム取り付け台に被さって閉じるためには、ドアフレーム取り付け台は薄く且つ平坦であることを要する。それ故、入手可能な一方向性ネジは、本発明の一実施形態のセキュリティ・ラッチを取り付けるためには適していない。通常のネジは、一旦ドアをわずかにでも開けることができれば、アパートもしくはホテルの部屋内に押し入ろうとする個人によって取り外すことができる。２重の頭を持つ（double-headed）ネジ９０２は、第１のネジヘッドがドアフレーム取り付け台の表面レベルと一致するように木製のフレーム内にねじ込むことができる。第２のヘッド９０６及び軸９０８を切り落としまたはせん断し、ドアフレーム取り付け台の表面とレベルが一致する一方向性のネジを残す。
【００２３】
図１０Ａ及び図１０Ｂは本発明の一実施形態を示す第２のタイプの一方向性ネジを示している。この第２のタイプの平坦なヘッドの一方向性ネジ１００２はスクリュードライバーのための溝１００８の上左側及び下右側に傾斜１００４及び１００６を有している。溝の傾斜をつけていない縁部は、取り付けのために時計方向に回転するスクリュードライバーによってネジが回転することを可能にするが、傾斜をつけた縁部は、スクリュードライバーが反時計方向に回転されるときには、溝からスクリュードライバーを滑らせる。
【００２４】
図１１は本発明の第１の実施形態のセキュリティ・ラッチのための設置キットを示す。この設置キットはラッチ１１０２と、必要な場合ラッチピン・トラックの下方に取り付けるためのシム１１０４、図５Ａを参照して記載したようにドアフレームとドアフレーム取り付け台フランジとの間の詰め物（shim）１１０６、およびラッチピン・トラック１１０８とを含む。この設置キットは通常のネジ及び一方向性ネジさらにドアフレーム取り付け台構成にとって適切な例えば図８に示されるようなテンプレート、更にまた異なった厚さの付加的な詰め物を含んでいてもよい。
【００２５】
図１２Ａ乃至図１２Ｄは本発明の第２の実施形態を示すセキュリティ・ラッチの幾つかの実施例を示す。図１２Ａに示すように、本発明の第２の実施形態では、本発明の第１の実施形態同様に、ラッチは、ドアフレーム取り付け台１２０２と関節ラッチアーム１２０４を備える。図１２Ａに示すセキュリティ・ラッチは本発明の第１の実施形態とは異なり、ラッチピンではなくラッチヘッド１２０６を備える。図１２Ｂ乃至図１２Ｃはラッチピンとガイドのアッセンブリーを示している。このラッチピンとガイドのアッセンブリー１２０８は、ラッチヘッドが設けられているラッチピン１２１０を備え、ラッチピンは、ラッチヘッド孔１２１２の下方端部に延びる。このラッチヘッド１２０６は、ラッチヘッドガイドフランジ１２１４と、円筒状のラッチヘッド孔の軸と平行である平坦な内側の縁部１２１６とを備える。ラッチヘッドガイドフランジの平坦な内側の縁部が、ラッチピンおよびガイドアッセンブリーのラッチヘッドガイド１２１８の左手側に対してスライドし、ラッチヘッドがラッチピン上に下がってドアを固定する。次にドアが開くとき、ラッチヘッドがラッチピン周りを回転するので、ラッチヘッドガイドフランジがラッチヘッドガイドの下で保護され、ラッチは侵入者が手もしくはツールをドアの割れ目に挿入しても上方向に動かされることができない。ラッチピンとガイドのアッセンブリー側に取り付けられたピン１２１１は、ラッチピン回りにラッチヘッドが充分回転されてラッチヘッドがラッチヘッドガイドで固定される前に、ドアの隙間にナイフまたはツールを挿入してラッチアームを上昇させ、セキュリティ・ラッチが解除されるのを阻止する。図１２Ｄは図１２Ａに示されるセキュリティ・ラッチの代替実施形態を示している。図１２Ａにおけるセキュリティ・ラッチは、ドアフレーム取り付け台１２０２における４つの対応する窪んだ開口部１２２４−１２２７を介して取り付けられる４つの取り付けネジ１２２０−１２２３を使用している。対照的に、図１２Ｄに示すセキュリティ・ラッチはわずか２つのネジを使用しているだけである。本発明の第１の組の実施形態と同様に、取り付けネジの幾つかもしくは全ては、侵入者がセキュリティ・ラッチを解除するためにドアフレームからドアを部分的に強制的に開き、そしてドアフレームからドアフレーム取り付け台１２０２のネジを弛めて外すことができない、一方向性ネジであってもよい。
【００２６】
ドアフレーム取り付け台１２０２は、ネジ１２２０−１２２３がドアフレームにドアフレーム取り付け台５０２を取り付ける４つの開口部１２２４―１２２７を備えた概して平坦なシートを備える。これらの開口部はわずかに窪んでおり、図１２Ａの本発明の実施形態においてドアフレーム内に延びている。上方のほぞ接ぎアーム１２３０と下方のほぞ接ぎアーム１２３２は、第一の関節ラッチアームセグメント１２３６が取り付けられる大きな旋回ピン１２３４をしっかり支える。ほぞ接ぎアームの裏面は、ドアフレーム取り付け台をドアフレームにしっかり固定し、ドアフレーム取り付け台がドアフレームの縁にあって外方に押されるのを阻止し、また、ドアに取り付けられたラッチピンとガイドのアセンブリとラッチのレベルが一致するようにドアフレーム取り付け台を位置づける。詰め物もしくはスペーサーは、ほぞ接ぎアームの裏面とドアフレームの縁部との間に配置され、ドア面に垂直な方向でドア面に関しラッチの位置を調整する。第１の関節ラッチアームセグメント１２３６は、この第１の関節ラッチアームセグメントの円筒状の開口部を介して大きな旋回ピン１２３４に回動自在に取り付けられている。この第１の関節ラッチアームセグメント１２３６はリンク１２４０への第２の旋回ピン１２３８によって回動自在に取り付けられ、第２の旋回ピンは、第１の関節ラッチアームセグメントの第２の端部において上方ほぞ接ぎアーム１２４２および下方のフレームほぞ接ぎアーム１２４４を通る。第２の関節ラッチアームセグメント１２４６は、リンク１２４０に第３の旋回ピン１２４８によって取り付けられ、第３の旋回ピンは、第２の関節ラッチアームセグメントの第１の端部において上方ほぞ接ぎアーム１２５０および下方のフレームほぞ接ぎアーム１２５２を通る。第２の関節ラッチアームセグメントの第２の端部は、ラッチヘッド１２０６を形成する。
【００２７】
図１３乃至図１３Ｃは、図１２Ａ乃至図１２Ｄに示される本発明のセキュリテイの実施形態を示す。図１３Ａに示される開放位置において、ラッチ１３０２はドアフレームを横切って延びる。このラッチヘッド１３０４は、関節ラッチアームセグメントが旋回ピンの回りで旋回しリンク及びドアフレーム取り付け台を互いに夫々に対して配置を変更するようにラッチを操作することによって水平面に移動されることができる。図１３Ｂにおいて、ラッチはラッチピンとガイドのアセンブリ１３０６に向けて移動され、そして図１３Ｃにおいて、ラッチヘッドは、大きな旋回ピン１３０８上で上方にラッチアームをスライドさせることにより全体のラッチを持ち上げることにより、持ち上げられて、ラッチヘッド孔の底部がラッチピン上に落とされる。さらにこのラッチアーム全体は、ラッチヘッドがラッチピンとガイドのアセンブリの底部プラットフォーム１３１２に載るように低下される。既に説明してきたように、ラッチヘッドフランジの内方の縁部が図１３Ｃのラッチヘッドガイド１３１４の左手側にあることに注目すべきである。
【００２８】
図１４Ａ乃至１４Ｃは、図１２Ａ乃至図１２Ｄに示す本発明のセキュリティ・ラッチの実施例の使用例を示す。図１４Ａではドアが閉っている。図１４Ｂにおいて、ドアが少し開いて、ドアが内方に変位しラッチヘッド１４０２がラッチピンの回りに回転するので、ラッチヘッドフランジ１４０４がラッチピンとガイドのアセンブリのラッチヘッドガイド１４０６の下にくる。図１４Ｃにおいて、ドアがラッチアームを充分に延ばして開放される。ドアは更に開放されることはできず、そしてラッチはドアの隙間から挿入される鋸（のこぎり）その他のツールの使用によってラッチアームを切断することによって解除することができる。
【００２９】
図１５Ａ乃至図１５Ｃは、本発明の第３のセキュリティ・ラッチの実施形態を示す。このセキュリティ・ラッチはドアフレーム上のドアレバーのためのストライカー（striker）（図１５Ａ乃至図１５Ｃには示されていない）を置換し、ドアストップ１５０６を用いてラッチアーム１５０４を回動自在に保持するドアフレーム取り付け台１５０２を含んでいる。図１５Ａに示す開放状態においては、ラッチアームはドアストップがドアから離れて位置した状態で頂部の右手溝１５０８内に置かれる。このラッチアームは図１５Ｂにおける溝から持ち上げられ、ドアに向けて回転される。図１５Ｃにおいて、ラッチアーム１５０４は開放位置から１８０°だけ回転し、そして上方の左手の溝１５１０内に挿入され、ドアに対してドアストップ１５０６を固定しドアが開くことを阻止する。
【００３０】
図１６Ａ乃至図１６Ｃは、図１５Ａ乃至図１５Ｃに示す本発明のセキュリティ・ラッチの実施例の設置例を示す。図１６Ａ乃至図１６Ｃにおいて、セキュリティ・ラッチはドアの左側に取り付けられている。スロットがドアフレーム取り付け台の頂部及び底部の双方に含まれているため、このドアフレーム取り付け台はリバーシブルであり、ドアのどちらの側にも取り付けることができることに注目すべきである。図１６Ａにおいて、セキュリティ・ラッチはラッチアーム１６００が上方の左手のスロットに置かれた状態で開放位置にある。このドアフレーム取り付け台は４個の開口部１６０２−１６０５の２個もしくは全てを通して取り付けられる２個もしくは４個のネジによってドアフレームに取り付けられている。このラッチアームは、ドアストップ１６１０が取り付けられている水平部材１６０８と、ドアフレーム取り付け台１６１４を通して延びる円筒状の軸１６１２とを備える。図１６Ａにおいて、ドアフレーム取り付け台は、ドアレバーラッチのための矩形状の開口部１６１６を有するストライカープレートとしても作用することがわかる。図１６Ｂでは、ラッチアームが持ち上げられ回転されており、図１６Ｃでは、ラッチアームが図１６Ａに示すその最初の開放位置に対して１８０°だけ回転し、右手の上方スロット１６１８内に確実に挿入されている。その位置において、ドアストップはドアに対向して固定されており（図１６Ａ乃至図１６Ｃに示されない）、ドアが開かれるのを阻止する。これに関して、本発明の第３の実施形態は、セキュリティ・ラッチが設置されているとき、ドアは部分的にも開けることができないという点において、最初の２つの実施例とは相違する。
【００３１】
図１７Ａ乃至図１７Ｄは、ドアの外側から図１５Ａ乃至図１５Ｃに示した本発明のセキュリティ・ラッチの実施例の解除形態を示している。このセキュリティ・ラッチはドアを部分的にさえ開かないので、このセキュリティ・ラッチは本発明の最初の２つの実施例の場合のように小さな開口部を通して鋸を挿入して解除することができない。図１５Ａ乃至図１６Ｃに示されるセキュリティ・ラッチを解除するためには、ドアフレーム取り付け台の頂部においてドアフレーム取り付け台に平行にドアフレームを通して、ドリルにより小さな直径の孔をあける。次いで、記憶形状ワイヤ１７０２が図１７Ａに示すように孔を通して挿入される。記憶形状ワイアは曲げられて、下方に湾曲した記憶形状ワイヤの内端部を用いて最初に挿入される。次に図１７Ｂ乃至図１７Ｄに示されるように記憶形状ワイヤは１８０°だけ回転され、ラッチアームの水平部材の下面を掴み、それをドアフレーム取り付け台内のスロットから持ち上げる。図１７Ｄにおいて、セキュリティ・ラッチが解除される。このドアは内方に押すことができ、ドアが開くにつれてラッチアームが内方に回転する。
【００３２】
図１８Ａ乃至図１８Ｄは、図５Ａ乃至図５Ｅおよび図６Ａ乃至図６Ｅにおいて示される本発明の最初の組の実施形態に基づく、付加的な磁石により強化された実施形態を示している。図１８Ａに示すこの付加的な実施形態では、一対の磁石１８０２及び１８０３が第１の関節ラッチアームセグメント及び第２の関節ラッチアームセグメント内に夫々設けられている。本発明の一つの実施形態においては、両方の磁石はＮ−５２磁石である。多くの異なるタイプの永久磁石を本発明の磁石により強化された実施形態に使うことができ、これには、ネオジミウム、鉄もしくはホウ素（「ＮｄＦｅＢ」）を含む希土類のような種々のタイプの高磁場強度の永久磁石が含まれる。磁石は図６Ｅに示すように関節ラッチアームがそれ自身の上に折り曲げられるとき、互いに吸着される。これにより、ラッチピンが図６Eに示すようにドアの縁およびラッチピン・トラックの縁に向けて押し戻されていない時にドアが開かれることによって生じる、中間位置をセキュリティ・ラッチがとることが阻止される。磁石の間の吸着によって、ラッチピンがラッチピン・トラック内に挿入されるとすぐに、関節ラッチアームが図６Ｅに示される位置をとる。磁石１８０２および１８０３は、ラッチアームセグメントの補完的な開口部に複数の磁石を機械的に圧入することから生じる摩擦力を含む、種々の固定手段によって関節ラッチアームセグメント１８０４及び１８０６に固定することができる。種々の機械的なリッジ、ピン、タブを用いてよく、また、磁石の挿入に続いて適当な位置に磁石を保持する力を発生するよう磁石をはめ込む開口部を整形してもよい。ネジなどのその他の固定手段を用いることもでき、セメント、にかわなどの固定手段を用いることもできる。
【００３３】
関節ラッチアームは、この関節ラッチアーム１８１４の下面から複数の関節ラッチアームセグメントの部分１８１０及び１８１２を中空に形成することによって図１８Ｂに示すように更に改善できる。材料を除去した井戸のようなチャンバー１８１０及び１８１２は、本発明の一実施形態においては、関節ラッチアームの上面を通って延びず、代わりに関節ラッチアーム材料の薄い層が、井戸の底部に残されるので、図６Ｄに示すように関節ラッチアームの上面の外観は変化しないままである。関節ラッチアームセグメントからの関節ラッチアーム材料の除去は、関節ラッチアームセグメントの質料を減少させ、それ故２個の磁石の関節ラッチアーム折り曲げ効果によって、関節ラッチアームが図６Ｅに示される位置に容易に引きつけられる。加えて、第１の井戸１８１０は、緊急時に応答してセキュリティ・ラッチを解除するため、ボルトカッターを用いて容易に切断できる第１の関節ラッチアームセグメントの領域を提供する。
【００３４】
本発明の一実施形態において、２個の関節ラッチアームセグメント（図５Ａにおける５３８）を結合するリンクは、図１８Ｄに示されるように整形される。リンク１８３０は、関節ラッチアームの（図１８Ｂにおける８１４）の内方側に面した丸い縁部１８３２及び１８３４と、関節ラッチアームの外方表面に向けて面している矩形の縁部１８３６及び１８３８とを有する。このようにしてリンクを整形することによって、関節ラッチアームセグメントは、関節ラッチアームセグメントの外表面が互いにアクセスするように図１８Ｂに示される延びた位置から後方に折り曲げられることができず、図１８Ａ及び図１８Ｃに示されるように、内方に折り曲げることができるだけである。本発明の実施形態の磁石により強化されたセキュリティ・ラッチにおいては、強磁性または磁石の片あるいはプレートがドアフレームに取り付けられ、延びて回転し、間接ラッチアームが使われていないとき、関節ラッチアームの上側が強磁性または磁石の片あるいはプレートに接触する位置で、間接ラッチアームをしっかり保持する。
【００３５】
図１８Ｃに示されるように図５Ａ乃至図５Ｅ及び図６Ａ乃至図６Ｅに最初に記載されたセキュリティ・ラッチの更に付加的な変化例において、ラッチピン・トラック１８２０が単純化されて、凹部（図６Ｂにおける６１４）、バッフル（図６Ｂにおける６０８）及びバッフル（図６Ｂにおける６１０）が除かれ、代わりに図６Ｅに示される位置に向けてセキュリティ・ラッチが折り曲げられるにつれてラッチピンが動く一つの滑らかなトラック１８２２が設けられている。代替実施形態においては、ラッチピン開口部（図５Ｂにおける５６２）が、ラッチピン・トラックの遠い方の縁部１８２４にできるだけ近接してラッチピンが配置されるので、ラッチピンが頂部表面及びラッチピン開口部を通すか、もしくはラッチピン・トラックの側を通して取り付けられることができる。
【００３６】
図１９Ａ乃至図１９Ｄは、本発明の付加的な実施形態を例示する。この実施形態において、複数の磁石が異なる位置決めされ、そして付加的な磁石が用いられるので、セキュリティ・ラッチが単純な動作で容易にセットしたり解除することができ、そしてセキュリティ・ラッチが意に反して部分的に使われることがない。図１９に示されるように、セキュリティ・ラッチ１９０２は、第２の関節ラッチアームセグメント１９１０内の第２の埋設磁石１９０８を吸着もしくは引っ張るように配列されている第１の埋設磁石１９０６を備えたフランジ／スペーサを備える。第１及び第２の埋設磁石の相互吸着は、戻り力として作用しラッチング動作またはアンラッチング動作の間、第１の関節ラッチアームセグメント１９１２、リンク１９１１及び第２の関節ラッチアームセグメント１９１０をドアフレームに向けて後方に引っ張る。図１９Ｂに示すように、図１９Ｂにおいて点線のアウトラインによって示される第３の磁石１９１６はラッチピン・トラック１９１８の下に埋設され、第２の埋設された磁石１９０８とは反対の極性を有し、第２の埋設された磁石をドアフレームに向けて後方に押し出し、またははねつけて第１と第２の埋設された磁石（図１９Ａにおける１９０４及び１９０８）との間の吸着力に付加的な力を加える。加えて、図１９Ａにおける第４の磁石１９２０はドアフレームに取り付けられ、第１の関節ラッチアームセグメント１９１２内に取り付けられた図１９Ｃにおける第５の埋設された磁石を吸着し、使用されていない位置におけるドアフレームに対して第１の関節ラッチアームセグメント１９１２、リンク１９１１及び第２の関節ラッチアームセグメント１９１０を確実に保持する。これは、ドアの開放及びドアの閉鎖に干渉する中間位置にセキュリティ・ラッチが存在することを阻止する。また、磁石の該当する作用はラッチピンがラッチピン・トラックからの係合を開放するとすぐにこの使用されていない位置にセキュリティ・ラッチをパチンと締める。同様に、ラッチピンがラッチピン・トラックに挿入されたとき、磁石の作用は、第１の関節ラッチアームセグメント１９１２、リンク１９１１及び第２の関節ラッチアームセグメント１９１０をドアフレームに向けて直ちに引っ張り、埋設された磁石１９０４および１９０８は、第１の間接ラッチアームセグメント１９１２が第２の関節のラッチアームセグメント１９１０の上に折り曲がるにつれて、合わさる。本発明のある実施形態において、リンク１９１１を修正して、縁部１９３０もしくはその他の縁部を丸くして、第１の関節ラッチアームセグメント１９１２が第２の関節ラッチアームセグメントの面から外れて後方に旋回することができるようにし、第５の埋設磁石１９２２が第４の磁石１９２０に容易に吸着し合わさるようにすることができる。図１９Ｄは使用されていない位置でのセキュリティ・ラッチを示し、第１の関節ラッチアームセグメント１９１２、リンク１９１１及び第２の関節ラッチアームセグメント１９１０が、磁石対１９０４／１９０８及び１９２０／１９２２の間の吸着によってドアフレームにしっかり保持されている。
【００３７】
図２０乃至図２２は本発明の双安定磁気セキュリティ・ラッチの実施態様を示す。本発明の双安定磁気セキュリティ・ラッチの実施形態は図５Ａ乃至図５Ｃ、図１８Ａ乃至図１８Ｄ及び図１９Ａ乃至図１９Ｄを参照して説明した本発明の実施形態に類似している。本発明のそれらの実施形態の各構成要素を記述するために使用された用語のほとんどは双安定磁気セキュリティ・ラッチの各構成要素の記述に使うことができる。双安定磁気セキュリティ・ラッチにおいて、関節ラッチアームがラッチピン・トラックからアンラッチされるか、ラッチピンがラッチピン・トラックに挿入されセキュリティ・ラッチを使用してドアをラッチするとき、自己調整の磁気的リターン(return)が、ドアフレームに向けて関節ラッチアームを後方に引っ張る。図２０は、発明の付加的な実施形態を示し、ラッチピンがラッチピン・トラック上にあるよう関節ラッチアームが位置決めされ、この位置からセキュリティ・ラッチがラッチもしくはアンラッチされる。この自己調整磁気リターン２００２は、垂直なピン２００４を経由してドア取り付け台フランジ２００８のほぞ（tenon）アーム２００６に取り付けられ、自己調整磁気リターン２００２が垂直なピンの回りに小さな角度で回転することができるようにする。この自己調整磁気リターン２００２は、第１の関節アームセグメント２０１４内に取り付けられた第２の磁石２０１２を吸着するよう位置決めされた第１の磁石２０１０を含む。第１の関節アームセグメント内に取り付けられる第３の同様に方向づけられた磁石２０１６が、第２の関節ラッチアームセグメント２０２０が内方に折り曲げられ、第２の関節ラッチアームセグメントの裏面側（図２０においては不明瞭）が第１の関節アームセグメント２０１４の裏面側（図２０においては不明瞭）に接近するとき、第２の関節ラッチアームセグメント２０２０に取り付けられた第４の磁石２０１８を反発する。
【００３８】
図２１はラッチされていない延びた位置における本発明の双安定磁気セキュリティ・ラッチの関節ラッチアーム及びドアフレーム取り付け台を示す。第１の関節アームセグメント及び第２の関節アームセグメント２０２０を備えた関節ラッチアームは、関節ラッチアームが図２０に示す位置においてユーザーによってリリースされると図２１に示される延びた位置を自動的かつ迅速にとる。第３の磁石（図２０における２０１６）が第２の関節アームセグメント２０２０における第４の磁石（図２０における２０１８）を反発して第２の関節アームセグメントが第１の間接アームセグメント上に折れ曲がるのを防止し、自己調整磁気リターン２００２における第１の磁石（図２０における２０１０）は、第１の関節アームセグメント２０１４における第２の磁石（図２０における２０１２）を吸着するので、第１の関節アームセグメントが自己調整磁気リターン２００２に合わさる。かくして、関節ラッチアームがユーザーによって保持されないときは、図２１に示される延びた位置において、関節ラッチアームはドアフレームに対してそれ自体を後方に自動的且つ迅速に位置決めするので、関節ラッチアームはセキュリティ・ラッチがドアの開放及び閉鎖に干渉するなどの問題を引き起こす任意の中間位置をとることがない。
【００３９】
図２２はラッチされた位置における本発明の双安定磁気セキュリティ・ラッチの実施形態のセキュリティ・ラッチを示す。このセキュリティ・ラッチは、図２０に示される位置から第２の関節ラッチアームセグメントを前方に押し出しそれをリリースさせることによってラッチピンがラッチピン・トラック２２０２に挿入される時、図２２に示される使用位置を急速且つ自動的にとる。自己調整磁気リターン２００２における第１の磁石（図２０における２０１０）は、第１の関節アームセグメント２０１４における第２の磁石（図２０における２０１２）を吸着するので、第１の関節アームセグメントが自己調整磁気リターン２００２に合わさる。この吸着力は第１の関節ラッチアームセグメントの第３の磁石（図２０における２０１６）と第２の関節アームセグメントの第４の磁石（図２０における２０１８）との間の反発力を克服し、関節ラッチアームを図２２に示される使用位置へと関節ラッチアームを引っ張る。
【００４０】
図２０乃至図２２に示される本発明の実施形態は、ユーザーによって保持されていない時、セキュリティ・ラッチが、図２１に示される非使用の延びた位置または図２２の使用位置を自動的にとるので、「双安定磁気セキュリティ・ラッチ」と呼ばれる。ユーザーによって物理的に保持及び操作されない限り、双安定磁気セキュリティ・ラッチがとることできる位置は２つだけである。双安定磁気セキュリティ・ラッチは、わずか２つの安定位置をもち、かくしてドアを開け閉めることに干渉したりその他の問題を引き起こす、安定した中間位置はとりえない。
【００４１】
自己調整磁気リターン２００２は種々のタイプのドアフレーム成型体を用いてドアに対しての双安定磁気セキュリティ・ラッチの容易な取り付けを可能にする回転柔軟性を提供する。この自己調整磁気リターンは、小さな角度で前方に回転し、より厚い成型体を受け入れることができる。加えて、ラッチアーム関節は、ドアフレームに対してドアの位置をシフトさせる場合、ドアフレーム取り付け台とラッチピン・トラックをもつ関節ラッチアームとの垂直方向の位置の不整合に関し、ある程度の許容度を提供する。双安定磁気セキュリティ・ラッチは、図１９Ａ乃至図１９Ｄに示される実施形態におけるようにラッチピン・トラック内に埋設されるかもしくはその下に位置した第５の磁石を付加的に含んでいてもよい。双安定磁気セキュリティ・ラッチの代替実施形態においては、第１の関節ラッチアームセグメント内の第２及び第３の磁石は一つの第２の磁石に組み合わせてもよい。
【００４２】
本発明は特定の実施形態について記述してきたけれども、発明はこの実施態様に限定されない。本発明の精神内での種々の変形は、当業者にとって自明となる。例えば、セキュリティ・ラッチは金属から一般的に製造され、図１５Ａ乃至図１７Ｄに示す本発明の第３の実施形態の場合、プラスチックもしくは他の高分子物質から作製されるか、それを用いて被覆されたドアストップを含んでいる。しかしながら、種々のその他の適切な物質の何れかが、剛性のあるプラスチック及び複合体を含めて使用できる。関節ラッチアーム、ラッチアームセグメント、旋回ピン、リンク及びドアフレーム取り付け台は、種々の異なる寸法及び形状を有し、それらはで記載したように機能し、ドアを確実にラッチする。本発明の実施形態の全ては、ネジその他の固定具での取り付けを特徴としており、ネジその他の固定具の軸はドアを開くのに必要とされる力の方向とは略垂直である。したがって、本発明のセキュリティ・ラッチは、それらが取り付けられている基板からネジを外すに充分な力を加えることによっても容易に解除することができず、内部ドア及び複数のドアフレームの表面は、取り付け中に傷つくことがない。本発明のラッチの全ては、容易に直感的に動作することができるので、パニック状態または混乱した部屋の占有者が火その他の緊急事態から逃げ遅れることがない。ラッチはよく規定された方向だけに動く。図５Ａ乃至図７Ｃを参照して記載したセキュリティ・ラッチのラッチアームは水平面内においてのみ動く。図１２Ａ乃至図１４Ｃ及び図１５Ａ乃至図１７Ｄを参照して記載したセキュリティ・ラッチのラッチアームは水平面内及び垂直に移動するだけである。これらの動作における限定された自由度は使用を容易化し、そして又複数のセキュリティ・ラッチの強さ及び堅牢さに寄与する。本発明のセキュリティ・ラッチは図２Ａ乃至図２Ｃを参照して記載した例えばドアラッチ・チェーン等の最近入手できるセキュリティ・ラッチよりも機械的に強い。本発明の種々の実施形態の実施はネジ用のドリル加工パイロット孔及び幾らかの切削加工もしくはルーテイングを実際含むけれども、これらの変形例のバルクはドアの縁に平行なドアの表面に対して作成され、そしてかくして概して可視的ではない。また、本発明の第１及び第２の実施形態に対して１個もしくは２個のネジ孔のみが必要とされ、ラッチピン・トラックもしくはラッチピン及びガイドアセンブリーを取り付ける。ラッチが除去すべきである場合、これらの孔は容易に充填できる。１個もしくは２個の孔は、多くの現在入手可能な装置によって要求される４個の密接に離隔した孔よりもドアに対して傷をつけることになりにくい。
【００４３】
説明の目的のために、特定の命名を用いて本発明を説明した。しかしながら、特定の詳細は、本発明を実施するために必要でないことが当業者にとって明らかとなる。本発明の特定の実施例の記載は、例示及び記載の目的のために提示される。それらの記載は、開示された正確なフォームにとって徹底的であることもしくは本発明を限定する意図がない。明らかに多くの変形及び変化が、教示内容から可能である。実施形態は、本発明の原理およびその実際的な応用例を最もよく説明するために記載され、当分野の熟練者にとって変形して使用することは容易である。本発明の範囲は以下の特許請求の範囲及びそれらの均等物によって定義されるべきことが意図されている。
【図１Ａ】
2013527349.tif 000003
【図１Ｂ】
2013527349.tif 000004
【図２Ａ】
2013527349.tif 000005
【図２Ｂ】
2013527349.tif 000006
【図２Ｃ】
2013527349.tif 000007
【図３Ａ】
2013527349.tif 000008
【図３Ｂ】
2013527349.tif 000009
【図４Ａ】
2013527349.tif 000010
【図４Ｂ】
2013527349.tif 000011
【図５Ａ】
2013527349.tif 000012
【図５Ｂ】
2013527349.tif 000013
【図５Ｃ】
2013527349.tif 000014
【図５Ｄ】
2013527349.tif 000015
【図５Ｅ】
2013527349.tif 000016
【図６Ａ】
2013527349.tif 000017
【図６Ｂ】
2013527349.tif 000018
【図６Ｃ】
2013527349.tif 000019
【図６Ｄ】
2013527349.tif 000020
【図６Ｅ】
2013527349.tif 000021
【図７Ａ】
2013527349.tif 000022
【図７Ｂ】
2013527349.tif 000023
【図７Ｃ】
2013527349.tif 000024
【図８】
2013527349.tif 000025
【図９】
2013527349.tif 000026
【図１０Ａ】
2013527349.tif 000027
【図１０Ｂ】
2013527349.tif 000028
【図１１】
2013527349.tif 000029
【図１２Ａ】
2013527349.tif 000030
【図１２Ｂ】
2013527349.tif 000031
【図１２Ｃ】
2013527349.tif 000032
【図１２Ｄ】
2013527349.tif 000033
【図１３Ａ】
2013527349.tif 000034
【図１３Ｂ】
2013527349.tif 000035
【図１３Ｃ】
2013527349.tif 000036
【図１４Ａ】
2013527349.tif 000037
【図１４Ｂ】
2013527349.tif 000038
【図１４Ｃ】
2013527349.tif 000039
【図１５Ａ】
2013527349.tif 000040
【図１５Ｂ】
2013527349.tif 000041
【図１５Ｃ】
2013527349.tif 000042
【図１６Ａ】
2013527349.tif 000043
【図１６Ｂ】
2013527349.tif 000044
【図１６Ｃ】
2013527349.tif 000045
【図１７Ａ】
2013527349.tif 000046
【図１７Ｂ】
2013527349.tif 000047
【図１７Ｃ】
2013527349.tif 000048
【図１７Ｄ】
2013527349.tif 000049
【図１８Ａ】
2013527349.tif 000050
【図１８Ｂ】
2013527349.tif 000051
【図１８Ｃ】
2013527349.tif 000052
【図１８Ｄ】
2013527349.tif 000053
【図１９Ａ】
2013527349.tif 000054
【図１９Ｂ】
2013527349.tif 000055
【図１９Ｃ】
2013527349.tif 000056
【図１９Ｄ】
2013527349.tif 000057
【図２０】
2013527349.tif 000058
【図２１】
2013527349.tif 000059
【図２２】
2013527349.tif 000060
【国際調査報告】
2013527349.tif 000061
2013527349.tif 000062
2013527349.tif 000063